(57)【要約】【課題】ハンドルを隠蔽することができるとともに、ハンドルの外部に進出移動した状態を安定させること。【解決手段】戸先框２３に配設される錠装置３０において、戸先框２３の内部に設けられたケース３１に基端部が軸支され、かつ先端部が室内側に対して進退移動するよう回動可能なハンドル３２と、一端部がケース３１に移動可能に支持され、かつ他端部がハンドル３２の基端部と先端部との間に連結されることでハンドル３２と連動して移動するアーム３７と、アーム３７の一端部に近接するよう圧縮コイルバネ３５１に付勢された状態でケース３１に移動可能に配設され、かつハンドル３２が退行移動する場合にはアーム３７に押圧されることで圧縮コイルバネ３５１の付勢力に抗して移動する一方、ハンドル３２が退行移動する状態が解除される場合には、アーム３７の一端部を押圧してハンドル３２を進出移動させるプッシャ３５を備えている。【選択図】図２
2015135043.tif 000002
【特許請求の範囲】
【請求項１】
開口枠及び障子の一方の部材に配設される錠装置において、
前記一方の部材の内部に設けられたケースに基端部が軸支され、かつ先端部が該一方の部材の外部に対して進退移動するよう回動可能なハンドルと、
一端部が前記ケースに移動可能に支持され、かつ他端部が前記ハンドルの前記基端部と前記先端部との間に連結されることで該ハンドルと連動して移動するアームと、
前記アームの一端部に近接するよう付勢手段に付勢された状態で前記ケースに移動可能に配設され、かつ前記ハンドルが外部より退行移動する場合には前記アームの一端部に押圧されることで前記付勢手段の付勢力に抗して移動する一方、前記ハンドルが外部より退行移動する状態が解除される場合には、前記アームの一端部を押圧して前記ハンドルを外部に向けて進出移動させるプッシャと
を備えたことを特徴とする錠装置。
【請求項２】
前記ケースに回動可能に配設され、かつ外部より退行移動したハンドルの先端部と係止する場合にはハンドルが外部より退行移動した状態に保持する一方、前記一方の部材より露出する操作部が操作されることで回動してハンドルとの係止状態が解除された場合にはハンドルをフリーな状態にさせるキャッチを備え、
前記プッシャは、キャッチがハンドルと係止する場合にはアームの一端部に押圧されることで前記付勢手段の付勢力に抗して移動した状態に保持される一方、キャッチとハンドルとの係止状態が解除された場合にはアームの一端部に近接するよう移動して該一端部を押圧するものであることを特徴とする請求項１に記載の錠装置。
【請求項３】
前記ハンドルは、基端部が前記ケースに軸支されるものであり、
前記アームは、前記ハンドルが退行移動する方向に向けて全体として突となるよう曲げ形状を成すことを特徴とする請求項１又は請求項２に記載の錠装置。
【請求項４】
前記ハンドルの回動を減衰する減衰手段を設けたことを特徴とする請求項１〜３のいずれか１つに記載の錠装置。
【請求項５】
前記減衰手段は、前記ハンドルの回動により互いに相対移動する部材間に介在するダンパー機構で構成されることを特徴とする請求項４に記載の錠装置。
【請求項６】
前記減衰手段は、前記ハンドルの回動により互いに摺接する部材間に塗布した高粘性潤滑剤で構成されることを特徴とする請求項４又は５に記載の錠装置。
【請求項７】
上記請求項１〜６のいずれか１つに記載の錠装置を備えたことを特徴とする建具。
【発明の詳細な説明】
【技術分野】
【０００１】
本発明は、錠装置及び建具に関するものである。
【背景技術】
【０００２】
従来、隠蔽式の錠装置として特許文献１に提案されているものが知られている。この特許文献１に提案されている錠装置は、例えば配電盤等の扉体に取り付けられるものであり、操作を行うためのハンドルを備えている。ハンドルは、扉体の内部に設けられたケースに一端部が軸支されて扉体の外部に対して進退移動するよう回動するものである。
【０００３】
このような錠装置においては、常態においては付勢手段の付勢力に抗してハンドルが外部から退行移動した状態に保持されており、扉体の外部に露出された操作部が操作されることでハンドルが付勢手段に付勢されて外部に進出移動するものである。
【先行技術文献】
【特許文献】
【０００４】
【特許文献１】実用新案登録第２５１６５２２号公報
【発明の概要】
【発明が解決しようとする課題】
【０００５】
ところが、上述した錠装置では、操作部が操作されることでハンドルが外部に進出移動した状態となるが、ハンドルは一端部がケースに軸支されているだけであるので、その進出移動した状態が安定したものとならない虞れがあった。そのため、配電盤等の扉体のように普段から開閉移動されないものであればあまり問題とされないが、普段から障子を開閉移動させる機会の多い引き違い窓等の建具に適用される場合には、進出移動した状態が安定しないハンドルを把持して障子を開閉移動させることが困難なものとなり、ハンドルの進出移動した状態が安定しないことによる不具合が顕著なものとなる。
【０００６】
本発明は、上記実情に鑑みて、ハンドルを隠蔽することができるとともに、ハンドルの外部に進出移動した状態を安定させることができる錠装置及び建具を提供することを目的とする。
【課題を解決するための手段】
【０００７】
上記目的を達成するために、本発明に係る錠装置は、開口枠及び障子の一方の部材に配設される錠装置において、前記一方の部材の内部に設けられたケースに基端部が軸支され、かつ先端部が該一方の部材の外部に対して進退移動するよう回動可能なハンドルと、一端部が前記ケースに移動可能に支持され、かつ他端部が前記ハンドルの前記基端部と前記先端部との間に連結されることで該ハンドルと連動して移動するアームと、前記アームの一端部に近接するよう付勢手段に付勢された状態で前記ケースに移動可能に配設され、かつ前記ハンドルが外部より退行移動する場合には前記アームの一端部に押圧されることで前記付勢手段の付勢力に抗して移動する一方、前記ハンドルが外部より退行移動する状態が解除される場合には、前記アームの一端部を押圧して前記ハンドルを外部に向けて進出移動させるプッシャとを備えたことを特徴とする。
【０００８】
この発明によれば、ハンドルが一方の部材の外部に対して進退移動するよう回動可能にケースに軸支されているので、ハンドルが外部より退行移動する場合にはハンドルを隠蔽させることができる。しかも、ハンドルは、基端部がケースに軸支されるとともに基端部と先端部との間がアームに連結されているので、プッシャが付勢手段に付勢されて移動することで２個所が支持された状態で一方の部材の外部に進出移動することができる。
【０００９】
また本発明は、上記錠装置において、前記ケースに回動可能に配設され、かつ外部より退行移動したハンドルの先端部と係止する場合にはハンドルが外部より退行移動した状態に保持する一方、前記一方の部材より露出する操作部が操作されることで回動してハンドルとの係止状態が解除された場合にはハンドルをフリーな状態にさせるキャッチを備え、前記プッシャは、キャッチがハンドルと係止する場合にはアームの一端部に押圧されることで前記付勢手段の付勢力に抗して移動した状態に保持される一方、キャッチとハンドルとの係止状態が解除された場合にはアームの一端部に近接するよう移動して該一端部を押圧するものであることを特徴とする。
【００１０】
この発明によれば、ケースに回動可能に配設されたキャッチが、外部より退行移動したハンドルの先端部と係止する場合にはハンドルが外部より退行移動した状態に保持する一方、操作部が操作されることで回動してハンドルとの係止状態が解除された場合にはハンドルをフリーな状態にさせるので、ハンドルとキャッチとが係止する場合にはハンドルを隠蔽させることができる。
【００１１】
また本発明は、上記錠装置において、前記ハンドルは、基端部が前記ケースに軸支されるものであり、前記アームは、前記ハンドルが退行移動する方向に向けて全体として突となるよう曲げ形状を成すことを特徴とする。
【００１２】
この発明によれば、アームがハンドルが退行移動する方向に向けて全体として突となるよう曲げ形状を成すので、ケースに対して回動しながら移動することができ、これによりアームの移動を許容するスペースの見込み方向の寸法を低減させることができる。よって、錠装置の見込み方向の寸法の低減化を図ることができる。また、アームが曲げ形状を成すことで、ハンドルを外部に進出移動させた場合に、一方の部材の表面とハンドルとの最小幅を十分に確保することができ、手指を挟み込むことを抑制することができる。
【００１３】
また本発明は、上記錠装置において、前記ハンドルの回動を減衰する減衰手段を設けたことを特徴とする。
【００１４】
この発明によれば、減衰手段によってハンドルの回動が減衰されるため、ハンドルをゆっくりと外部に進出移動させることができ、これにより利用者が怪我してしまう虞れがなく、利用者に対して取り扱いやすい印象を与えることができる。
【００１５】
また本発明は、上記錠装置において、前記減衰手段は、前記ハンドルの回動により互いに相対移動する部材間に介在するダンパー機構で構成されることを特徴とする。
【００１６】
この発明によれば、減衰手段によってハンドルの回動が減衰されるため、ハンドルをゆっくりと外部に進出移動させることができる。
【００１７】
また本発明は、上記錠装置において、前記減衰手段は、前記ハンドルの回動により互いに摺接する部材間に塗布した高粘性潤滑剤で構成されることを特徴とする。
【００１８】
この発明によれば、ハンドルの回動により互いに摺接する部材間に高粘性潤滑剤が塗布されているので、ハンドルをゆっくりと外部に進出移動させることができる。
【００１９】
本発明に係る建具は、上記錠装置を備えたことを特徴とする。
【００２０】
この発明によれば、上記錠装置を備えているので、ハンドルが外部より退行移動する場合にはハンドルを隠蔽させることができる。しかも、ハンドルは、プッシャが付勢手段に付勢されて移動することで２個所が支持された状態で一方の部材の外部に進出移動することができる。
【発明の効果】
【００２１】
本発明に係る錠装置によれば、ハンドルが外部より退行移動する場合にはハンドルを隠蔽させることができる。また、ハンドルは、プッシャが付勢手段に付勢されて移動することでケースとアームとにより２個所が支持された状態で一方の部材の外部に進出移動することができるので、ハンドルの外部に進出移動した状態を安定させることができる。よって、ハンドルを隠蔽することができるとともに、ハンドルの外部に進出移動した状態を安定させることができるという効果を奏する。
【００２２】
また本発明に係る建具によれば、上述した錠装置を備えているので、ハンドルを隠蔽することができるとともに、ハンドルの外部に進出移動した状態を安定させることができるという効果を奏する。
【図面の簡単な説明】
【００２３】
【図１】図１は、本発明の実施の形態である錠装置が適用された建具、すなわち本発明の実施の形態である建具を室内側から見た場合を簡略的に示す外観図である。
【図２】図２は、内側の障子に取り付けられた錠装置の周辺構造を拡大して示す斜視図である。
【図３】図３は、錠装置の主要構成要素を室内側から見た斜視図である。
【図４】図４は、錠装置の主要構成要素の分解斜視図である。
【図５】図５は、錠装置の主要構成要素を右側から見た側面図である。
【図６】図６は、錠装置の主要構成要素の内部構造を右側から見た側面図である。
【図７】図７は、錠装置の主要構成要素を室内側から見た斜視図である。
【図８】図８は、錠装置の主要構成要素を室内側から見た斜視図である。
【図９】図９は、錠装置の主要構成要素を右側から見た側面図である。
【図１０】図１０は、錠装置の主要構成要素の内部構造を右側から見た側面図である。
【図１１】図１１は、内側の障子に取り付けられた錠装置の周辺構造を拡大して示す斜視図である。
【図１２】図１２は、内側の障子に取り付けられた錠装置の周辺構造を拡大して示す斜視図である。
【図１３】図１３は、変形例に係る減衰手段を設けた錠装置の主要構成要素の構成図であり、図１３（Ａ）は、錠装置を右側から見た側面図であり、図１３（Ｂ）は、錠装置を室外側から見た斜視図である。
【図１４】図１４は、別の変形例に係る減衰手段を設けた錠装置の主要構成要素を室外側から見た斜視図である。
【発明を実施するための形態】
【００２４】
以下に添付図面を参照して、本発明に係る錠装置及び建具の好適な実施の形態について詳細に説明する。
【００２５】
図１は、本発明の実施の形態である錠装置が適用された建具、すなわち本発明の実施の形態である建具を室内側から見た場合を簡略的に示す外観図である。ここで例示する建具は、開口枠１０に左右２枚の障子２０を備え、開口枠１０に対して２枚の障子２０を左右方向に開閉移動させる引き違い窓と称されるものである。
【００２６】
開口枠１０は、上枠１１、下枠１２及び左右一対の縦枠１３，１４を四周枠組みすることによって構成された矩形開口を形成するものである。これら上枠１１、下枠１２及び左右一対の縦枠１３，１４は、例えばアルミニウム等の金属製の押し出し形材である。このような開口枠１０は、上枠１１、下枠１２及び左右一対の縦枠１３，１４のそれぞれを家屋の壁等の躯体１に形成された躯体開口２に対してその開口縁部に沿うように取り付けられている。
【００２７】
障子２０は、それぞれ上框２１、下框２２及び左右一対の縦框２３，２４を四周框組みすることによって構成された框の内部に面材２５を保持させたものである。これら上框２１、下框２２及び左右一対の縦框２３，２４は、例えばアルミニウム等の金属製の押し出し形材である。
【００２８】
これら障子２０は、一方の縦框２３がそれぞれ縦枠１３，１４に当接し、かつ他方の縦框２４どうしが召し合わせの位置となるように配置された場合に、開口枠１０が閉じられるようにそれぞれの寸法が設定されている。このように上記一方の縦框２３は、開口枠１０に対して障子２０を閉めた際に縦枠１３，１４に対向するものであり、以下においては適宜戸先框とも称することとする。また、開口枠１０に対して障子２０を閉めた際に互いに召し合わせの位置となる縦框２４を適宜召し合わせ框とも称することとする。
【００２９】
これら障子２０の戸先框２３には、それぞれ錠装置３０が設けられている。これら錠装置３０は、一部が戸先框２３の室内側見付け面より露出された状態で設けられている。以下においては、内側の障子２０に設けられた錠装置３０について説明し、外側の障子２０に設けられた錠装置３０については、内側の障子２０に設けられた錠装置３０と主要構成要素の向きが異なるだけなのでその説明を割愛する。
【００３０】
図２は、内側の障子に取り付けられた錠装置の周辺構造を拡大して示す斜視図であり、図３は、錠装置の主要構成要素を室内側から見た斜視図であり、図４は、錠装置の主要構成要素の分解斜視図である。また図５及び図６は、錠装置の主要構成要素を右側から見たものであり、図５は側面図、図６は内部構造を示す側面図である。
【００３１】
これら図２〜図６に示すように、錠装置３０は、ケース３１と、ハンドル３２と、キャッチ３３と、ボタン（操作部）３４と、プッシャ３５と、作動片３６と、アーム３７と、フロントカバー３８とを備えて構成されている。
【００３２】
ケース３１は、室内側の面が開放された箱状の形態を成すものであり、上下方向が長手方向となる長尺状のものである。このケース３１は、例えばアルミニウム等の金属製材料から構成されるもので、その内部に収容空間を形成するものである。このケース３１の上面における室内側端部には上方に向けて屈曲された上方取付片３１１が形成されており、この上方取付片３１１には左右一対のケース取付孔３１ａが形成されている。またこのケース３１の下端部の左右両側面にはケース取付孔３１ｂが形成されている。更にこのケース３１の中央領域の左右両側面にはケース連結孔３１ｃが形成されている。ケース連結孔３１ｃは、上下方向が長手方向となる長孔である。
【００３３】
ハンドル３２は、例えばアルミニウム等の金属製材料から構成されるもので、ハンドル基部（基端部）３２１とハンドル把持部（先端部）３２２とを備えている。ハンドル基部３２１は、室外側に僅かに突となるよう上下方向に沿って延在する部位である。このハンドル基部３２１の下端部には左右方向に沿ってハンドル軸支孔３２ａが形成されている。
【００３４】
ハンドル把持部３２２は、ハンドル基部３２１の上端部の室内側面より上方に向けて延在する部位である。このハンドル把持部３２２は、内部が中空となって室外側が開放されており、上面には係止凹部３２ｂが形成されている。またハンドル把持部３２２における下端部、すなわちハンドル基部３２１との連結部分よりも上方側には左右方向に沿ってハンドル連結孔３２ｃが形成されている。
【００３５】
このようなハンドル３２は、ハンドル基部３２１の下端部がハンドルブッシュ３２３を介在させてケース３１の内部に挿入されてケース３１の下端部の左右両側面に形成されたハンドル用軸支孔３１ｄにハンドル軸支孔３２ａが一直線上に重なるようにし、ハンドル用軸支孔３１ｄ及びハンドル軸支孔３２ａをハンドル軸支ピン４１ａが貫通することでケース３１に軸支されている。このハンドル軸支ピン４１ａは、貫通した先端がハンドル軸支ナット４１ｂに螺合されている。またハンドルブッシュ３２３は、ハンドル３２のガタつきを防止するためのものであり、ハンドル軸支ピン４１ａに貫通される孔が形成されている。
【００３６】
このようにしてハンドル３２は、ハンドル軸支ピン４１ａの中心軸を中心としてその中心軸回りに回動可能、すなわち戸先框２３の見込み方向に沿って回動可能なものである。より詳細には、戸先框２３の外部となる室内側に対して進退移動するよう戸先框２３の見込み方向に沿って回動可能なものである。
【００３７】
キャッチ３３は、例えばプラスチック等の樹脂材から形成されるもので、キャッチ本体部３３１、キャッチ係止部３３２、キャッチ当接片３３３とを備えて構成されている。キャッチ本体部３３１は、円筒を横倒ししたような形態を成し、左右方向に沿ってキャッチ軸支孔３３ａが形成されている。
【００３８】
キャッチ係止部３３２は、キャッチ本体部３３１の室外側部位より室外側に向けて延在した部分であり、下方に向けて突出する係止突部３３ｂを有している。キャッチ当接片３３３は、キャッチ本体部３３１の上方側部位より上方に向けて延在する板状部分である。
【００３９】
このようなキャッチ３３は、プッシャベース３９を介在させた状態でケース３１に軸支されている。ここではこのプッシャベース３９について先に説明する。プッシャベース３９は、例えばプラスチック等の樹脂材により形成されるものであり、後述するプッシャ３５の移動をガイドするものである。このプッシャベース３９は、平板状のベース基部３９１と、ベース基部３９１の室内側端部より下方に向けて延在するベースガイド部３９２と、ベース基部３９１の左右両端部より下方に向けて延在するベース側部３９３とを備えて構成されている。
【００４０】
このようなプッシャベース３９では、ベース基部３９１の下面より下方に向けて突出するベース突起３９ａが形成されている。またベース基部３９１の左右両端部には上方に向けて延在する左右一対のベース支持片３９ｂが形成されており、それぞれにベース軸支孔３９ｃが形成されている。
【００４１】
上記キャッチ３３は、キャッチ本体部３３１がキャッチバネ３３４とともにプッシャベース３９のベース支持片３９ｂ間に位置するよう配置された後にケース３１に挿入されてケース３１の左右両側面に形成されたキャッチ用軸支孔３１ｅにキャッチ軸支孔３３ａ及びベース軸支孔３９ｃが一直線上に重なるようにし、キャッチ用軸支孔３１ｅ、キャッチ軸支孔３３ａ及びベース軸支孔３９ｃをキャッチ軸支ピン４２ａが貫通することでケース３１に軸支されている。このキャッチ軸支ピン４２ａは、貫通した先端がキャッチ軸支ナット４２ｂに螺合されている。
【００４２】
このようにしてキャッチ３３は、キャッチ軸支ピン４２ａの中心軸を中心としてその中心軸回りに回動可能なものである。また上記キャッチバネ３３４は、キャッチ３３と同様に、巻回部分がキャッチ軸支ピン４２ａに貫通されており、一方がケース３１の室外側面に係止し、他方がキャッチ当接片３３３に係止している。これにより、キャッチ３３は、キャッチ係止部３３２が下方に向かうようキャッチバネ３３４により付勢されているが、キャッチ係止部３３２の一部がプッシャベース３９のベース基部３９１に当接することでキャッチ当接片３３３が上方に向けて延在するようにその姿勢が決められている。
【００４３】
ボタン３４は、例えばプラスチック等の樹脂材から形成されるもので、直方状の形態を成すボタン本体部３４１を備えている。ボタン本体部３４１は、内部に中空部が形成されていてその中空部が障子２０の見込み方向に沿って延在するよう横倒ししたような形態を成している。このボタン本体部３４１における下面及び室外側面は開放しており、室内側面は押圧部３４ａを形成している。このボタン本体部３４１の室内側面には、室外側に向けて延在する作用片３４ｂが形成されている。
【００４４】
このようなボタン３４は、キャッチ３３の一部がボタン本体部３４１の中空部に進入するようケース３１に配設されている。かかるボタン３４は、室内外方向に沿って移動可能となるようにケース３１に配設されているが、作用片３４ｂがキャッチ当接片３３３に当接することでその位置が決められている。
【００４５】
プッシャ３５は、例えばプラスチック等の樹脂材から形成された略直方状のものである。このプッシャ３５の下面は、室外側に向けて漸次下方に傾斜するよう湾曲状を成している。また、このプッシャ３５の上面には、上記ベース突起３９ａの進入を許容するプッシャ凹部３５ａが形成されている。このようなプッシャ３５は、付勢手段である圧縮コイルバネ３５１を介在させた状態でベース突起３９ａをプッシャ凹部３５ａに相対的に進入させることで配設されており、かかる圧縮コイルバネ３５１により常時下方に向けて付勢、すなわちキャッチ３３から離隔するよう付勢されている。
【００４６】
作動片３６は、例えばアルミニウム等の金属製材料から構成されるもので、上下方向に沿って延在する平板状の作動基部３６１と、この作動基部３６１の左右両端部より室内側に向けて延在する作動側部３６２とを備えた横断面形状がコ字状を成すものである。
【００４７】
このような作動片３６の作動基部３６１には、上下２つの作動取付孔３６ａが形成されている。これら作動取付孔３６ａは、上下方向が長手方向となる長孔である。作動片３６は、これら作動取付孔３６ａを室外側から貫通する作動取付ピン４３がケース３１の室外側面に取り付けられることで、作動取付孔３６ａの長手方向の大きさの分だけケース３１に対して相対的に上下方向に沿って移動することができる。より詳細に説明すると、作動片３６は、作動基部３６１がケース３１の室外側面の外表面に、かつ作動側部３６２がケース３１の左右両側面の外表面に摺接しながらケース３１に対して上下方向に沿って移動することができる。本実施の形態においては、ケース３１に外表面における作動片３６との摺接可能領域には、ダンピンググリースと称されるような高粘性潤滑剤が塗布されている。
【００４８】
また、上記作動片３６には、左右一対の作動連結孔３６ｂが形成されている。これら作動連結孔３６ｂは、それぞれ作動側部３６２の中央部の室外側領域に上下方向が長手方向となるよう形成されている。更に上記作動片３６には切欠部３６ｃが形成されている。切欠部３６ｃは、作動基部３６１の上側の作動取付孔３６ａよりも上方側において左右方向に沿って延在しており、一部が作動側部３６２にも延在している。
【００４９】
このような作動片３６には、かかる切欠部３６ｃに進入した状態で連結片４０が嵌合している。より詳細に説明すると次のようになる。連結片４０は、上下方向に沿って延在する平板状の連結基部４０１と、この連結基部４０１の上端部より左側に向けて延在する連結左延部４０２とを備えて構成されている。この連結片４０の連結左延部４０２は、室外側部分が室内側部分よりも左側に向けて突出するよう延在している。そして、かかる連結左延部４０２の室外側部分が切欠部３６ｃに進入することで作動片３６には連結片４０が嵌合している。このとき連結片４０の連結基部４０１は作動片３６の右側の作動側部３６２に重なるよう配置される。尚、かかる連結片４０は、今回の説明で割愛する外側の障子２０に設けられた錠装置３０においては、左右入れ替えることで用いることができるようにその形状が工夫されている。
【００５０】
アーム３７は、例えばアルミニウム等の金属製材料から形成されている。このアーム３７は、全体として室外側に突となるよう湾曲した形状を成しており、上端面が上方に突となるよう湾曲し、下端面が下方に突なるよう湾曲している。つまり、アーム３７は、ハンドル３２の退行移動する方向（室外方向）に向けて全体として突となるよう曲げ形状を成している。
【００５１】
そして、アーム３７の下端部（他端部）には、ハンドル用連結孔３７ａが左右方向に沿って形成されており、上端部（一端部）には、アーム連結孔３７ｂが左右方向に沿って形成されている。
【００５２】
このようなアーム３７は、下端部がハンドル把持部３２２の室外側より内部に挿入されてハンドル連結孔３２ｃにハンドル用連結孔３７ａが一直線上に重なるようにし、ハンドル連結孔３２ｃ及びハンドル用連結孔３７ａをハンドル連結ピン４４ａが貫通することでハンドル３２に連結されている。このハンドル連結ピン４４ａは、貫通した先端がハンドル連結ナット４４ｂに螺合されている。これによりアーム３７は、ハンドル３２に対してハンドル連結ピン４４ａの中心軸を中心としてその中心軸回りに回動可能なものである。
【００５３】
また、かかるアーム３７は、上端部がアームブッシュ３７１を介在させてケース３１の内部のプッシャ３５の下方に挿入されてアーム連結孔３７ｂがケース連結孔３１ｃ及び作動連結孔３６ｂに一直線上に重なるようにし、作動連結孔３６ｂ、ケース連結孔３１ｃ及びアーム連結孔３７ｂをアーム連結ピン４５ａが貫通することでケース３１に支持されている。このアーム連結ピン４５ａは、貫通した先端がアーム連結ナット４５ｂに螺合されている。またアームブッシュ３７１は、アーム３７のガタつきを防止するためのものであり、アーム連結ピン４５ａに貫通される孔が形成されている。
【００５４】
このようにしてアーム３７は、ケース３１に移動可能に支持され、かつハンドル３２に連結されて該ハンドル３２と連動して移動するものである。そして、上述したようにプッシャ３５が圧縮コイルバネ３５１により常時下方に向けて付勢されていることで、アーム３７の上端部にはプッシャ３５の下面が接している。
【００５５】
フロントカバー３８は、例えばアルミニウム等の金属性材料から形成されるものである。このフロントカバー３８は、上下方向が長手方向となる長尺状の略板状部材であり、ハンドル用開口３８１及びボタン用開口３８２が形成されている。ハンドル用開口３８１は、ハンドル３２が通過することを許容する開口であり、ボタン用開口３８２は、ボタン３４の押圧部３４ａの外周部が通過することを許容する開口である。このフロントカバー３８には、ケース用取付孔３８ａ及びケース用取付孔３８ｂが形成されている。ケース用取付孔３８ａは、ボタン用開口３８２の上方域に形成されている。ケース用取付孔３８ｂは、フロントカバー３８の下端部より室外側に向けて突出する左右一対のケース用取付片３８３に形成されている。
【００５６】
このようなフロントカバー３８は、左右一対のロッド状部材３８４を介在させた状態で戸先框２３の室内側見付け面の表面にフロント用ビス４６等で取り付けられている。より詳細に説明すると、戸先框２３の室内側見付け面には図示せぬ矩形状の開口（以下、戸先框開口ともいう）が形成されており、フロントカバー３８は、ハンドル用開口３８１及びボタン用開口３８２が戸先框開口を臨んだ状態で室内側見付け面に取り付けられている。このときケース用取付片３８３は、戸先框開口を通過して戸先框２３の内部に進入している。尚、図中の符号３８５は、フロント用ビス４６を隠すためのビスカバーである。
【００５７】
このようなフロントカバー３８に対して、上述したハンドル３２、キャッチ３３、ボタン３４、プッシャ３５及びアーム３７が収容されたケース３１を戸先框２３の内部より、ケース取付孔３１ａがケース用取付孔３８ａと重なり、かつケース取付孔３１ｂがケース用取付孔３８ｂと重なるようにして、ケース取付孔３１ａを貫通するケース取付ネジ４７がケース用取付孔３８ａと螺合し、かつケース用取付孔３８ｂを貫通するケース取付ネジ４８がケース取付孔３１ｂと螺合することで、ケース３１は、戸先框２３の内部に配設される。この場合、ハンドル３２がハンドル用開口３８１を通じて室内側に露出された状態となり、ボタン３４の押圧部３４ａがボタン用開口３８２を通じて室内側に露出された状態となる。
【００５８】
そして、このようなケース３１に摺接する作動片３６に嵌合される連結片４０の連結基部４０１に、図２に示すようなリンケージバー５０を連結させることで錠装置３０が構成される。
【００５９】
ここでリンケージバー５０は、上下方向が長手方向となる長尺状部材であり、戸先框２３の見込み面より露出した状態で配設されている。このリンケージバー５０には、上下に２つの噛合ピン５１が右側に突出するよう形成されている。これら噛合ピン５１は、縦枠１４（１３）の見込み面に配設された錠受部６０に噛合可能なものである。
【００６０】
錠受部６０は、例えばアルミニウム等の金属性材料からなる板状部材を屈曲等させて形成されたもので、上下方向に沿って延在する平板状の錠受基部６１と、この錠受基部６１の上端部より右側に向けて延在した後上方に向けて屈曲した錠受上部６２と、この錠受基部６１の下端部より右側に向けて延在した後下方に向けて屈曲した錠受下部６３とを備えて構成されている。
【００６１】
この錠受部６０は、錠受上部６２の上端部及び錠受下部６３の下端部に形成された錠受取付孔６２ａ，６３ａを貫通する錠受取付ビス（図示せず）が縦枠１４（１３）の見込み面に螺合されることで縦枠１４（１３）の見込み面に取り付けられている。これら錠受部６０は、錠受基部６１及び錠受下部６３に錠受開口６０ａが形成されており、錠受下部６３の開口幅は、噛合ピン５１の先端部の通過を許容する大きさを有し、錠受基部６１の開口幅は、噛合ピン５１の先端部よりも狭い大きさを有している。これら錠受部６０は、錠受開口６０ａに噛合ピン５１が相対的に下方から進入することを許容し、噛合ピン５１が進入することで噛合ピン５１と噛合状態となるものである。
【００６２】
これにより錠装置３０を構成する作動片３６は、錠受部６０に噛合可能な噛合ピン５１を有するリンケージバー５０に連結片４０を介して連結されるとともにアーム３７に連結され、アーム３７の移動に応じてリンケージバー５０を戸先框２３の見込み面において該戸先框２３の長手方向に沿って移動させるものである。
【００６３】
以上のような構成を有する錠装置３０では、図２に示すように開口枠１０に対して障子２０を閉めた状態でハンドル３２を室外側に向けて回動（室内側より退行移動）させると、アーム３７が上方に向けて移動することでこのアーム３７の上端部に下面が接するプッシャ３５は、圧縮コイルバネ３５１の付勢力に抗して上方に向けて移動する。
【００６４】
そして、図３、図５及び図６に示すようにハンドル３２の係止凹部３２ｂにキャッチ３３の係止突部３３ｂが進入することでハンドル３２はキャッチ３３と係止する。これによりハンドル３２の室内側に向けての進出移動が阻止されることとなり、しかもプッシャ３５が上方に移動した状態に保持される。
【００６５】
このようにハンドル３２がキャッチ３３と係止した状態では、ハンドル３２のハンドル把持部３２２がフロントカバー３８より室内側に僅かに突出した状態となり、ハンドル３２の大部分が隠蔽されることとなる。
【００６６】
また、上記アーム３７の上方への移動により作動片３６及び連結片４０を介してリンケージバー５０も戸先框２３の見込み面において上方に向けて移動する結果、噛合ピン５１が錠受部６０の錠受開口６０ａに下方より進入して該錠受部６０と噛合することで錠装置３０は該錠受部６０と係合する。このようにして錠装置３０が錠受部６０と係合することで開口枠１０に対する障子２０の開放を阻止する。
【００６７】
このように障子２０の開放が阻止された状態で、図７に示すようにボタン３４の押圧部３４ａが押圧操作されると、ボタン３４は室外側に向けて移動する。ボタン３４が室外側に向けて移動すると、ボタン３４の作用片３４ｂがキャッチ当接片３３３に当接することで、キャッチ３３はキャッチバネ３３４の付勢力に抗して上方に向けて回動する。キャッチ３３が上方に向けて回動すると、係止突部３３ｂが係止凹部３２ｂから離脱することでキャッチ３３とハンドル３２との係止状態が解除される。キャッチ３３との係止状態が解除されたハンドル３２はフリーな状態となる。また、キャッチ３３とハンドル３２との係止状態が解除されることでプッシャ３５は、圧縮コイルバネ３５１に付勢されて下方に向けての移動を開始し、これによりアーム３７が押圧されてハンドル３２が室内側に向けての進出移動を開始する。
【００６８】
そして、ボタン３４に対する押圧操作が解除されると、キャッチ３３がキャッチバネ３３４により下方に向けて回動することで、キャッチ当接片３３３に作用片３４ｂが押圧され、ボタン３４は室内側に移動して元の状態に戻る。
【００６９】
プッシャ３５の下方への移動によりアーム３７はプッシャ３５に押圧されて下方に向けて移動するが、かかるアーム３７に連結される作動片３６もケース３１の外表面に摺接しながら下方に向けて移動する。上述したようにケース３１の外表面における作動片３６との摺接可能領域には、ダンピンググリースと称されるような高粘性潤滑剤が塗布されているので、作動片３６及びこれに連結されるアーム３７はゆっくりと下方に向けて移動することとなり、これによりハンドル３２も室内側に向けてゆっくりと進出移動する。
【００７０】
そして、図８〜図１０に示すように、アーム連結ピン４５ａがケース連結孔３１ｃの下端縁部に当接することでアーム３７の下方への移動は停止し、これにより作動片３６の下方の移動も停止し、更にハンドル３２の室内側に向けての進出移動も停止する。
【００７１】
このようにしてアーム３７の下方への移動により作動片３６及び連結片４０も下方に向けて移動することでリンケージバー５０も下方に向けて移動する。これにより、図１１に示すようにリンケージバー５０に設けられた噛合ピン５１は、錠受部６０から離脱することで錠受部６０との噛合状態が解除され、錠装置３０は錠受部６０と非係合状態となる。このようにして錠装置３０が錠受部６０と非係合状態となることで開口枠１０に対する障子２０の開放を許容する。従って、図１２に示すように、障子２０を左側に向けて開移動させることができる。
【００７２】
以上説明したような本発明の実施の形態である錠装置３０によれば、戸先框２３の室内側見付け面より露出された状態で該戸先框２３の内部に設けられたケース３１に軸支されたハンドル３２が室内側に対して進退移動するよう戸先框２３の見込み方向に沿って回動可能であり、ケース３１に回動可能に配設されたキャッチ３３が、室内側より退行移動したハンドル３２と係止する場合にはハンドル３２が室内側に向けて進出移動することを阻止し、ボタン３４が押圧操作されることで回動してハンドル３２との係止状態が解除された場合には該ハンドル３２をフリーな状態にさせるので、ハンドル３２とキャッチ３３とが係止する場合にはハンドル３２を隠蔽することができる。
【００７３】
しかも、ハンドル３２は、ハンドル基部３２１がケース３１に軸支されるとともにハンドル基部３２１とハンドル把持部３２２との間がアーム３７に連結されているので、プッシャ３５が圧縮コイルバネ３５１に付勢されて移動することでケース３１とアーム３７とにより２個所が支持された状態で戸先框２３の室内側に進出移動することができ、これにより、ハンドル３２の室内側に進出移動した状態を安定させることができる。従って、ハンドル３２を隠蔽することができるとともに、ハンドル３２の室内側（外部）に進出移動した状態を安定させることができる。
【００７４】
上記錠装置３０によれば、開口枠１０に対して障子２０を閉めた状態で退行移動するハンドル３２とキャッチ３３とが係止する場合に、ハンドル３２の退行移動に連動するアーム３７の移動に伴ってリンケージバー５０が移動することで噛合ピン５１が錠受部６０に噛合して該錠受部６０に係合し、開口枠１０に対して障子２０を閉めた状態でボタン３４の押圧操作によりキャッチ３３とハンドル３２との係止状態が解除される場合にプッシャ３５に押圧されたアーム３７が移動することでハンドル３２が室内側に進出移動するとともに、リンケージバー５０が移動して噛合ピン５１が錠受部６０から離脱して該錠受部６０と非係合状態になるので、戸先框２３の室内側見付け面に良好に配設することができ、これにより従来のように錠装置の設置のために戸先框２３の見込み方向の寸法を過大なものとする必要がない。従って、意匠性を良好なものとすることができる。
【００７５】
上記錠装置３０によれば、アーム３７が室外側に向けて突となるよう湾曲した形状を成すので、アーム連結ピン４５ａの中心軸回りに回動しながらケース３１に対して上下方向に沿って移動することができ、これによりアーム３７の移動を許容するスペースの見込み方向の寸法を低減させることができる。よって、錠装置３０の見込み方向の寸法の低減化を図ることができる。
【００７６】
また、アーム３７が湾曲した形状を成すことで、ハンドル３２を室内側に進出移動させた場合に、フロントカバー３８とハンドル３２との最小幅を十分に確保することができ、手指を挟み込むことを抑制することができる。
【００７７】
上記錠装置３０によれば、ケース３１における作動片３６との摺接領域には高粘性潤滑剤が塗布されているので、ハンドル３２をゆっくりと室内側に進出移動させることができ、利用者が怪我してしまう虞れがなく、利用者に対して取り扱いやすい印象を与えることができる。
【００７８】
以上、本発明の好適な実施の形態について説明したが、本発明はこれに限定されるものではなく、種々の変更を行うことができる。
【００７９】
上述した実施の形態では、障子２０が開口枠１０に対して左右方向に沿って移動可能なものであったが、本発明においては、障子は開口枠の見込み方向に沿って回動するいわゆる外開き式、あるいは内開き式のものであっても構わない。また本発明においては、上述した実施の形態のように２枚の障子の引き違い窓だけでなく、３枚の障子の引き違い窓、４枚の障子の引き違い窓に対しても適用できるし、１枚の障子を開閉移動させる片引き窓に対しても適用できる。
【００８０】
上述した実施の形態では、錠装置３０が戸先框２３に設けられ錠受部６０が縦枠１３，１４に設けられていたが、本発明においては、開口枠に対して障子を閉めた際に互いに対向する框及び枠のうち、錠受部が框に設けられ、錠装置が枠に設けられていてもよい。
【００８１】
上述した実施の形態では、アーム３７が室外側に向けて突となるよう湾曲した形状を成すものであったが、本発明においては、アーム（アーム３７）は、全体として室外側に向けて突となるよう曲げ形状を成していれば好ましく、例えば屈曲形状や折れ曲がった形状を成していてもよい。
【００８２】
上述した実施の形態では、ケース３１における作動片３６との摺接領域に高粘性潤滑剤を塗布することでハンドル３２の回動を減衰し、ハンドル３２をゆっくりと室内側に進出移動させる減衰手段を例示したが、本発明においては、ハンドルの回動により互いに摺接する部材間に高粘性潤滑剤が塗布されていればよく、かかる高粘性潤滑剤の塗布個所は限定されるものではない。また、本発明においては、ダンピンググリースと称される高粘性潤滑剤に限られず、ゲル状のものを塗布してもよいし、各種ブレーキ等を用いて摩擦力等により摺接部分における部材間の相対的な速度を低下させるようにしてもよい。
【００８３】
例えば、図１３（Ａ）及び図１３（Ｂ）に示すように、ハンドル３２の回動により互いに相対移動する部材間、ここでは作動片３６（アーム連結ピン４５ａ）とケース３１との間にダンパー機構７０を介在させることで、ハンドル３２の回動を減衰し、ハンドル３２をゆっくりと室内側に進出移動させる減衰手段を構成してもよい。ダンパー機構７０は、作動片３６の作動側部３６２に取り付けたプレート７１に固定したピニオンギア７２と、ケース３１に固定され、ピニオンギア７２と噛合うラックギア７３とを備えたラックアンドピニオン機構である。ピニオンギア７２は、その回転軸周りに高粘度のオイルが充填されたロータリーダンパーであり、その回転が減衰される。プレート７１にはアーム連結ピン４５ａが締結されている。
【００８４】
従って、ダンパー機構７０では、ハンドル３２の室内側進出方向への回動に連動して作動片３６が移動する場合に、ピニオンギア７２がラックギア３２と噛合って回転し、減衰力を発生する。この減衰力はプレート７１を介してアーム連結ピン４５ａに伝わり、アーム連結ピン４５ａ及び作動片３６の移動をゆっくりとしたものとし、これによりハンドル３２の回動もゆっくりとしたものになる。また、ダンパー機構７０を用いることにより、上記高粘性潤滑剤よりも経年劣化に対する耐久性が向上し、メンテナンスもほとんど不要となる。なお、ダンパー機構７０は、上記高粘性潤滑剤と共に併用してもよく、後述するダンパー機構７５及びロータリーダンパー７８についても同様である。
【００８５】
また、例えば、図１４に示すように、ハンドル３２の回動により互いに相対移動する部材間、ここでは作動片３６（アーム連結ピン４５ａ）とケース３１との間にダンパー機構７５を介在させることで、ハンドル３２の回動を減衰し、ハンドル３２をゆっくりと室内側に進出移動させる減衰手段を構成してもよい。ダンパー機構７５は、作動片３６の作動側部３６２側でアーム連結ピン４５ａに先端が連結されたロッド７６と、ケース３１に固定され、ロッド７６が進退可能に挿入されたシリンダ７７とを備えたショックアブソーバー機構である。シリンダ７７には高粘度のオイルが充填され、ロッド７６の基端に設けられた図示しないピストンが減衰力を受け、これによりロッド７６の移動が減衰される。
【００８６】
従って、ダンパー機構７５では、ハンドル３２の室内側進出方向への回動に連動して作動片３６が移動する場合に、ロッド７６とシリンダ７７との間で減衰力を発生する。この減衰力はロッド７６からアーム連結ピン４５ａに伝わり、アーム連結ピン４５ａ及び作動片３６の移動をゆっくりとしたものとし、これによりハンドル３２の回動もゆっくりとしたものになる。このダンパー機構７５を用いる場合にも、上記高粘性潤滑剤よりも経年劣化に対する耐久性が向上し、メンテナンスもほとんど不要となる。
【００８７】
さらに、例えば、図９に示すようにダンパー機構７０のピニオンギア７２に用いたものと同様なロータリーダンパー７８をハンドル３２の回動軸となるハンドル軸支ピン４１ａに接続した構成としてもよい。これによっても、ハンドル３２の回動を減衰し、ハンドル３２をゆっくりと室内側に進出移動させる減衰手段を構成できる。このロータリーダンパー７８を用いる場合にも、上記高粘性潤滑剤よりも経年劣化に対する耐久性が向上し、メンテナンスもほとんど不要となる。
【符号の説明】
【００８８】
１０  開口枠
１１  上枠
１２  下枠
１３  縦枠
１４  縦枠
２０  障子
２１  上框
２２  下框
２３  戸先框
２４  召し合わせ框
２５  面材
３０  錠装置
３１  ケース
３２  ハンドル
３３  キャッチ
３４  ボタン（操作部）
３５  プッシャ
３６  作動片
３７  アーム
３８  フロントカバー
３９  プッシャベース
４０  連結片
５０  リンケージバー
５１  噛合ピン
６０  錠受部
７０，７５  ダンパー機構
７８  ロータリーダンパー
【図１】
2015135043.tif 000003
【図２】
2015135043.tif 000004
【図３】
2015135043.tif 000005
【図４】
2015135043.tif 000006
【図５】
2015135043.tif 000007
【図６】
2015135043.tif 000008
【図７】
2015135043.tif 000009
【図８】
2015135043.tif 000010
【図９】
2015135043.tif 000011
【図１０】
2015135043.tif 000012
【図１１】
2015135043.tif 000013
【図１２】
2015135043.tif 000014
【図１３】
2015135043.tif 000015
【図１４】
2015135043.tif 000016